(57)【要約】【課題】  従来のルアーとボディのアウトラインを同一としながらも中空室の容積を増大させ、ボディの浮力を増し、大重量の錘を具えてルアー全体の重量を増すことができ、遠投性やその他の機能を向上させることのできる新規なルアーを開発することを技術課題とした。【解決手段】  ラインアイ３及びフックアイ４はワイヤフレーム５の一部として形成され、このワイヤフレーム５は、右側片２Ｒと左側片２Ｌとの接合面２０に形成した受入溝２２に受け入れられて挟持状態とされるものであり、前記受入溝２２をボディ２底面に露出した状態で形成し、前記ラインアイ３及びフックアイ４並びにワイヤフレーム５の側周面をボディ２底面から突出した状態としたことを特徴として成り、中空室２１の容積を大きく設定してボディ２の浮力を増すことができるため、中空室２１内に大重量の錘２４を設置してルアー１の重量を増すことができる。【選択図】図１
2005102582.tif 000002
【特許請求の範囲】
【請求項１】
小魚を模した左右対称の右側片と左側片とを貼り合わせてボディを形成し、このボディの頭部付近にラインを接続するためのラインアイを具え、胸鰭または腹鰭付近並びに尾鰭付近にフックを接続するためのフックアイを具えて成るルアーにおいて、前記ラインアイ及びフックアイはワイヤフレームの一部として形成され、このワイヤフレームは、前記右側片と左側片との接合面に形成した受入溝に受け入れられて挟持状態とされるものであり、前記受入溝をボディ底面に露出した状態で形成し、前記ラインアイ及びフックアイ並びにワイヤフレームの側周面をボディ底面から突出した状態としたことを特徴とする中空室の容積増大を可能にしたルアー。
【請求項２】
前記ワイヤフレームにおけるフックアイ及び／またはラインアイの前後には、屈曲部が形成されるものであり、この屈曲部に対して、前記右側片及び左側片に支持されるピンを係合することを特徴とする請求項１記載の中空室の容積増大を可能にしたルアー。
【発明の詳細な説明】
【技術分野】
【０００１】
本発明はルアーに関するものであって、特にボディのアウトラインを同一とした従来のルアーよりも中空室の容積を増大することを可能とし、ボディの低重心化を可能にするとともに、ボディの内部設計の自由度を高めることのできるルアーに係るものである。
【背景技術】
【０００２】
ブラックバス、シーバス等の魚を対象としたルアーフィッシングに用いられるルアーの一種に、その形状を小魚に模したプラグ・ミノーと呼ばれるものがある。
この種のルアー１´は図７に示すように、ボディ２´の頭部付近にラインアイ３´が具えられ、このラインアイ３´に接続されるラインＬを引くことにより小魚の様な動きをしながら水中を進行するものである。また前記ボディ２´の胸鰭または腹鰭付近並びに尾鰭付近には、フックアイ４´が具えられ、このフックアイ４´にフック８´が接続されている。
【０００３】
そして前記ラインアイ３´及びフックアイ４´をボディ２´に具えるための構造としては種々の形態が採られているが、このうち図７に示すように、前記ラインアイ３´及びフックアイ４´をワイヤフレーム５´の一部として形成し、このワイヤフレーム５´をボディ２´に対して埋設状態に設置するものがある。すなわち前記ボディ２´を、左右対称の右側片２Ｒ´と左側片２Ｌ´とを貼り合わせることにより形成するものであり、この際、右側片２Ｒ´と左側片２Ｌ´との接合面２０´にそれぞれ形成した受入溝２２´に前記ワイヤフレーム５´を受け入れて、このものを挟持状態として、ラインアイ 3´及びフックアイ４´をボディ２´から突出した状態とするものである。
このためボディ２´における底面から中空室２１´までの間の肉厚を、前記受入溝２２´を形成してこの部分にワイヤフレーム５´を埋設状態にできるように十分に確保する必要があった。因みに図７に示すルアー１´では、ワイヤフレーム５´の径を１．０ｍｍとし、受入溝２２´から中空室２１´まで及び受入溝２２´からボディ２´底面までの肉厚を１．５ｍｍとしたため、ボディ２´底面から中空室２１´までの肉厚は４．０ｍｍとなっている。またこの種のルアー１´は、その重量が重いほどより遠くのポイントまでキャストすることができるものであり、このため中空室２１´内には錘２２´が配設されるが、錘２２´の重量の上限値は、ボディ２´の材質や中空室２１´の容積に依存するルアー１´の浮力とのバランスでおのずと制限されてしまう（特許文献１参照）。
更にボディ２´が細身のものの場合には、中空室２１´の容積も小さくなるため、中空室２１´内に反射板、ラトル、移動錘等を設置した場合であってもその機能を十分に発揮することができないという問題もあった。
【特許文献１】特開平１０−１５０８８５号公報（図１）
【発明の開示】
【発明が解決しようとする課題】
【０００４】
本発明はこのような背景を認識して成されたものであり、従来のルアーとボディのアウトラインを同一としながらも、中空室の容積を大きく設定することができ、これによりボディの低重心化を可能として、ルアーアクションを安定させることができ、更にボディの内部設計の自由度を高めることのできる、新規な中空室の容積増大を可能にしたルアーを開発することを技術課題としたものである。
【課題を解決するための手段】
【０００５】
すなわち請求項１記載の中空室の容積増大を可能にしたルアーは、小魚を模した左右対称の右側片と左側片とを貼り合わせてボディを形成し、このボディの頭部付近にラインを接続するためのラインアイを具え、胸鰭または腹鰭付近並びに尾鰭付近にフックを接続するためのフックアイを具えて成るルアーにおいて、前記ラインアイ及びフックアイはワイヤフレームの一部として形成され、このワイヤフレームは、前記右側片と左側片との接合面に形成した受入溝に受け入れられて挟持状態とされるものであり、前記受入溝をボディ底面に露出した状態で形成し、前記ラインアイ及びフックアイ並びにワイヤフレームの側周面をボディ底面から突出した状態としたことを特徴として成るものである。
この発明によれば、同じアウトラインを有する従来のルアーと比べて、中空室の容積を大きく設定してボディの浮力を増すことができるため、中空室内に大重量の錘を設置してルアーの重量を増すことができる。このためルアーを遠くまでキャストすることが可能となる。また中空部内に設置される錘の位置がボディ底面側に近づくため、ルアーの重心を下部に位置させ、スイミングバランス及びアクションレスポンスを向上することができる。更にまたボディの内部設計の自由度を高めることができるため、中空室内に反射板、ラトル、移動錘等を設置した場合にはその機能を十分に発揮することができる。
【０００６】
また請求項２記載の中空室の容積増大を可能にしたルアーは、前記要件に加え、前記ワイヤフレームにおけるフックアイ及び／またはラインアイの前後には、屈曲部が形成されるものであり、この屈曲部に対して、前記右側片及び左側片に支持されるピンを係合することを特徴として成るものである。
この発明によれば、ワイヤフレームの側周面をボディ底面から突出した状態としながらも、このものをボディに対して固定することができる。
そしてこれら各請求項記載の発明の構成を手段として前記課題の解決が図られる。
【発明の効果】
【０００７】
本発明によれば、同じアウトラインを有する従来のルアーと比べて、中空室の容積を大きく設定することができる。このためボディの浮力を増すことができるため、中空室内に大重量の錘を設置してルアーの重量を増すことができ、ルアーを遠くまでキャストすることが可能となる。また中空室内に設置される錘の位置がボディ底面側に近づくため、ルアーの重心を下部に位置させ、スイミングバランス及びアクションレスポンスを向上することができる。更にまたボディの内部設計の自由度を高めることができるため、特に細身のボディの場合に制限されていた機能の拡張を図ることができる。具体的にはまず中空室内に反射板を設置する場合、大寸法の反射板を用いてその効果を高めることができる。また中空室内に、音を発するためのラトルを入れる場合には、発生音の調整に幅を持たせることができる。更にまた中空室内に移動錘を設置した場合には、その移動範囲を広域にすることができる。
この結果、良好な釣果が期待できるものであり、ルアーの商品価値を高めることができる。
【発明を実施するための最良の形態】
【０００８】
以下本発明の中空室の容積増大を可能にしたルアーについて、図示の実施の形態に基づいて具体的に説明する。なお以下に示す実施例に対しては、本発明の技術的範囲内における技術的改変を適宜加えることも可能である。
【実施例１】
【０００９】
図中符号１で示すものがルアー１であり、このものは魚体を模して形成されるとともに、その表面に適宜塗装等の装飾が施されたボディ２に対し、頭部付近にラインアイ３を具え、一例として腹鰭部、胸鰭部及び尾鰭部の三カ所にフックアイ４を具え、更に前記フックアイ４にリング７を介在させてフック８を具えて成るものである。
そして前記ラインアイ３にスイベルＳを介在させてラインＬが接続されるものであり、このラインＬが引かれることにより、ルアー１は水中で現実の小魚のような動きをするものである。
以下これらルアー１を構成する諸部材について詳しく説明する。
【００１０】
まず前記ボディ２は、合成樹脂あるいは木材等により形成された左右対称の右側片２Ｒと左側片２Ｌとを貼り合わせて形成されるものであり、図２（ａ）に示すようにこれら二片の接合面２０のうちボディ２の底面部分、具体的には頭部から尾鰭部にかけて、後述するワイヤフレーム５を受け入れるための受入溝２２が形成される。
なお前記接合面２０の適宜の個所あるいは全域に凸条及び凹溝を形成した場合には、右側片２Ｒと左側片２Ｌとの位置合わせを容易に行うことができる。
また前記受入溝２２の周辺部であり、前記フックアイ３及び／またはラインアイ４を取り付ける部分の前後には、ピン孔２３が形成される。なお受入溝２２に対するワイヤフレーム５の受け入れ態様については後ほど詳しく説明する。
更にまたボディ２の内部には中空室２１が形成され、この中空室２１内には錘２４が具えられるものであり、その重量は、ボディ２の材質や中空室２１の容積に依存するルアー１の浮力に応じて適宜決定される。なおこの実施例では前記錘２４を中空室２１に固定するようにしたが、中空室２１内を移動するものとすることもできる。
【００１１】
次に前記ワイヤフレーム５について説明すると、このものは図２（ｂ）に示すように、ステンレス等の防錆性素材から成る金属線を適宜曲げ加工することにより、その一部に円形状あるいは半円形状のラインアイ３及びフックアイ４を形成して成るものである。またこのワイヤフレーム５におけるフックアイ３及び／またはラインアイ４の前後の部分には、半円形状の屈曲部５０が形成される。
【００１２】
続いて前記ボディ２に対するワイヤフレーム５の組み付け態様について説明する。図３に示すように、まず右側片２Ｒまたは左側片２Ｌのいずれか（この実施例では左側片２Ｌ）のピン孔２３に対してピン９を挿入するとともに、このピン９に対して屈曲部５０が係合するようにして、ワイヤフレーム５を受入溝２２に嵌め込む。次いで右側片２Ｒを、ピン孔２３に対してピン９が挿入されるように左側片２Ｌに近づけ、最終的に両者を貼り合わせるものであり、このときワイヤフレーム５は、右側片２Ｒと左側片２Ｌとに形成された受入溝２２に受け入れられて挟持状態とされる。この状態でワイヤフレーム５の側周面並びにラインアイ３及びフックアイ４は、図１に示すようにボディ２の底面から突出した状態となる。なお屈曲部５０にピン９を係合させることにより、ワイヤフレーム５の固定及び強度維持が図られるものである。
なお前記ピン９の代わりに、接合面２０に一体的に形成した係合突起２５を用いることもできる。図３ (ｂ）に示す実施例では、左側片２Ｌに係合突起２５が形成され、一方、右側片２Ｒにピン孔２３が形成されるものであり、ピン孔２３に係合突起２５が嵌合するようにした。
【００１３】
またボディ２底面からのワイヤフレーム５の突出範囲は、図１に示したように横断面の約半周とする他、図５（ａ）に示すように横断面の半周以下としたりあるいは図５（ｂ）に示すように横断面のほぼ全周とすることもできる。更にまたこの実施例では、錘２４についてはあらかじめ右側片２Ｒまたは左側片２Ｌの中空室２１に固定しておくようにした。更にまた右側片２Ｒと左側片２Ｌとの接合面２０は、接着剤や超音波溶着によって固着されるものである。
そして前記フックアイ４にリング７を介在させてフック８を取り付けてルアー１が完成する。なお実際の使用時にはラインアイ３にラインＬが結び付けられるが、ラインＬの撚れを防ぐために撚り戻しを一体的に具えたスイベルＳを介在させるのが好ましく、これによりルアー１の交換も容易に行うことができる。
【００１４】
本発明の中空室の容積増大を可能にしたルアー１は以上述べたような具体的な構成を有するものであり、以下本発明のルアー１と、このルアー１とボディ２のアウトラインを同一とした従来のルアー１´双方の中空室２１、２1 ´の相違を説明する。
図４中、左側に示すものが本発明のルアー１のボディ２であり、一方、右側に示すものは従来のルアー１´のボディ２´であり、これらは底面から上面までの寸法が同じに設定されている。また接合面２０（２０´）の幅は、接合強度を維持するためにある程度確保する必要があり、この実施の形態では一例として１．５ｍｍとした。またワイヤフレーム５の径は１．０ｍｍとした。
そして本発明のルアー１にあっては、ワイヤフレーム５が底面から突出しているため、底面側の接合面２０は、ワイヤフレーム５の上方のみに設けられるのに対し、従来のルアー１´にあっては、底面側の接合面２０´は、ワイヤフレーム５´の上方及び下方の双方に設けられている。すなわちボディ２（２´）底面から中空室２１（２１´）までの寸法は、本発明のルアー１では２．０ミリであるのに対し、従来のルアー１では４．０ｍｍとなるものである。このため本発明のルアー１における中空室２１の容積は、従来のルアー１´における中空室２１´の容積よりも大きく設定することができるものであり、ボディ２（２´）のアウトラインを同じとしながらも、本発明のルアー１の方が浮力が高くなるものである。従って本発明のルアー１の錘２４の重量は、従来のルアー１´の錘２４´よりも重く設定することが出来るものである。また本発明のルアー１の錘２４の位置は、従来のルアー１´の錘２４´の位置よりも下方にすることができる。このためルアー１のスイミングバランス及びアクションレスポンスが向上することとなる。
更に中空室２１の容積が増大することにより、ボディ２の内部設計の自由度が高まるものであり、特に細身のボディ２の場合に制限されていた機能の拡張を図ることができるものである。具体的には図示は省略するが、まず中空室２１内に反射板を設置する場合、大寸法の反射板を用いてその効果を高めることができる。また中空室２１内に、音を発するためのラトルを入れる場合には、発生音の調整に幅を持たせることができる。更にまた中空室２１内に移動錘を設置した場合には、その移動範囲を広域にすることができる。
【実施例２】
【００１５】
本発明は上述した実施例１を基本となる実施例とするものであるが、本発明の技術的思想に基づいて以下に示すような実施例を採ることもできる。
すなわち上述した実施例１では、ワイヤフレーム５におけるフックアイ３及び／またはラインアイ４の前後の部分に屈曲部５０を形成し、この屈曲部５０にピン９を係合させてワイヤフレーム５の固定及び強度維持を図るようにしたが、ピン９を使用しない形態を採ることもできる。具体的には図６に示すように、フックアイ５またはラインアイ４の前後の部分の受入溝２１を、ワイヤフレーム５の全周を囲繞するようにするものであり、これによりワイヤフレーム５の固定及び強度維持を図ることができる。
【図面の簡単な説明】
【００１６】
【図１】本発明のルアーを示す縦断側面図及び横断面図である。
【図２】ボディの左側片を示す側面図及びワイヤフレームを示す側面図である。
【図３】ワイヤフレームの組み付けの様子を示す斜視図である。
【図４】本発明のルアーと従来のルアーにおける中空室を対比して示す縦断側面図である。
【図５】ワイヤフレームの種々の突出態様他を示す横断面図である。
【図６】ワイヤフレームの保持形態を異ならせたルアーを示す縦断側面図である。
【図７】従来のルアーを示す縦断側面図及び横断面図である。
【符号の説明】
【００１７】
１      ルアー
２      ボディ
２Ｌ    左側片
２Ｒ    右側片
２０    接合面
２１    中空室
２２    受入溝
２３    ピン孔
２４    錘
２５    係合突起
３      ラインアイ
４      フックアイ
５      ワイヤフレーム
５０    屈曲部
７      リング
８      フック
９      ピン
Ｌ      ライン
Ｓ      スイベル
【図１】
2005102582.tif 000003
【図２】
2005102582.tif 000004
【図３】
2005102582.tif 000005
【図４】
2005102582.tif 000006
【図５】
2005102582.tif 000007
【図６】
2005102582.tif 000008
【図７】
2005102582.tif 000009